(57)【要約】【課題】利便性を向上する。【解決手段】音響システムは、自装置とスピーカ装置とが接続されている場合に、音データを出力する音出力装置から無線通信により受信した音データをスピーカ装置に送信する第１出力制御部を備え、ヘッドホンから音を出力するヘッドホン装置と、ヘッドホン装置とスピーカ装置とが接続されている場合に、音データに基づく音をスピーカから出力させる第２出力制御部を備えるスピーカ装置とを備える。【選択図】図２
2018160714.tif 000002
【特許請求の範囲】
【請求項１】
自装置とスピーカ装置とが接続されている場合に、音データを出力する音出力装置から無線通信により受信した前記音データを前記スピーカ装置に送信する第１出力制御部を備え、ヘッドホンから音を出力するヘッドホン装置と、
前記ヘッドホン装置と当該スピーカ装置とが接続されている場合に、前記音データに基づく音をスピーカから出力させる第２出力制御部を備える前記スピーカ装置と
を備える音響システム。
【請求項２】
前記第１出力制御部は、
前記ヘッドホン装置と前記スピーカ装置とが接続されていない場合に、前記音データに基づく音を前記ヘッドホンから出力させ、前記ヘッドホン装置と前記スピーカ装置とが接続されている場合に、前記ヘッドホンの出力を停止させる
請求項１に記載の音響システム。
【請求項３】
前記ヘッドホン装置と前記スピーカ装置との接続には、非接触通信による接続が含まれ、
前記第１出力制御部は、
前記ヘッドホン装置と前記スピーカ装置とが前記非接触通信により接続されている場合に、前記音データを前記スピーカ装置に送信するとともに、前記音データに基づく音を前記ヘッドホンから出力させる
請求項１に記載の音響システム。
【請求項４】
前記第１出力制御部は、
前記ヘッドホン装置と前記スピーカ装置との距離に応じて、前記スピーカ装置に送信する音データに基づく音の音量と、前記ヘッドホンから出力させる前記音データに基づく音の音量との比率を変更する
請求項３に記載の音響システム。
【請求項５】
前記ヘッドホン装置は、複数の前記音出力装置から受信した複数種類の音データに基づいて合成音データを生成する合成処理部を備え、
前記第１出力制御部は、前記ヘッドホン装置と前記スピーカ装置とが接続されている場合に、前記合成処理部によって生成された前記合成音データを前記スピーカ装置に送信する
請求項１から請求項４のいずれか一項に記載の音響システム。
【請求項６】
前記ヘッドホン装置は、自装置を動作させる電力を供給する２次電池を備え、
前記スピーカ装置は、前記ヘッドホン装置と前記スピーカ装置とが接続されている場合に、前記２次電池を充電する充電電力の供給を制御する充電制御部を備える
ことを特徴とする請求項１から請求項５のいずれか一項に記載の音響システム。
【請求項７】
ヘッドホンから音を出力するヘッドホン装置であって、
自装置とスピーカ装置とが接続されている場合に、音データを出力する音出力装置から無線通信により受信した前記音データを前記スピーカ装置に送信する出力制御部
を備えるヘッドホン装置。
【請求項８】
ヘッドホンから音を出力するヘッドホン装置と自装置とが接続されている場合に、音データを出力する音出力装置から無線通信により前記ヘッドホン装置が受信した音データであって、前記ヘッドホン装置から送信された前記音データに基づく音をスピーカから出力させる出力制御部
を備えるスピーカ装置。
【請求項９】
ヘッドホンから音を出力するヘッドホン装置が、当該ヘッドホン装置とスピーカ装置とが接続されている場合に、音データを出力する音出力装置から無線通信により受信した前記音データを前記スピーカ装置に送信する第１出力制御ステップと、
前記スピーカ装置が、前記ヘッドホン装置と前記スピーカ装置とが接続されている場合に、前記ヘッドホン装置から送信された前記音データに基づく音をスピーカから出力させる第２出力制御ステップと
を含む音響出力方法。
【発明の詳細な説明】
【技術分野】
【０００１】
本発明は、音響システム、ヘッドホン装置、スピーカ装置、及び音響出力方法に関する。
【背景技術】
【０００２】
近年、例えば、電子楽器などの音出力装置から出力された音データを無線通信により受信し、受信した音データの音をヘッドホンから出力するワイヤレスのヘッドホン装置が知られている（例えば、特許文献１を参照）。このようなヘッドホン装置は、ケーブルを引き回す必要がないため、市場で好まれおり、広く使用されている。
【先行技術文献】
【特許文献】
【０００３】
【特許文献１】特開２００７−７４７８６号公報
【発明の概要】
【発明が解決しようとする課題】
【０００４】
しかしながら、例えば、ヘッドホンからスピーカに音の出力を切り替える場合や、スピーカからヘッドホンに音の出力を切り替える場合には、上述した従来のヘッドホン装置では、依然としてケーブルをつなぎ替える（切替える）必要があり面倒であった。すなわち、上述した従来のヘッドホン装置では、例えば、ヘッドホンとスピーカとの出力を切替える際に、利便性が悪いという課題があった。
【０００５】
本発明は、上記問題を解決すべくなされたもので、その目的は、利便性を向上させることができる音響システム、ヘッドホン装置、スピーカ装置、及び音響出力方法を提供することにある。
【課題を解決するための手段】
【０００６】
上記問題を解決するために、本発明の一態様は、自装置とスピーカ装置とが接続されている場合に、音データを出力する音出力装置から無線通信により受信した前記音データを前記スピーカ装置に送信する第１出力制御部を備え、ヘッドホンから音を出力するヘッドホン装置と、前記ヘッドホン装置と当該スピーカ装置とが接続されている場合に、前記音データに基づく音をスピーカから出力させる第２出力制御部を備える前記スピーカ装置とを備える音響システムである。
【０００７】
また、本発明の一態様は、ヘッドホンから音を出力するヘッドホン装置であって、
自装置とスピーカ装置とが接続されている場合に、音データを出力する音出力装置から無線通信により受信した前記音データを前記スピーカ装置に送信する出力制御部を備えるヘッドホン装置である。
【０００８】
また、本発明の一態様は、ヘッドホンから音を出力するヘッドホン装置と自装置とが接続されている場合に、音データを出力する音出力装置から無線通信により前記ヘッドホン装置が受信した音データであって、前記ヘッドホン装置から送信された前記音データに基づく音をスピーカから出力させる出力制御部を備えるスピーカ装置である。
【０００９】
また、本発明の一態様は、ヘッドホンから音を出力するヘッドホン装置が、当該ヘッドホン装置とスピーカ装置とが接続されている場合に、音データを出力する音出力装置から無線通信により受信した前記音データを前記スピーカ装置に送信する第１出力制御ステップと、前記スピーカ装置が、前記ヘッドホン装置と前記スピーカ装置とが接続されている場合に、前記ヘッドホン装置から送信された前記音データに基づく音をスピーカから出力させる第２出力制御ステップとを含む音響出力方法である。
【発明の効果】
【００１０】
本発明によれば、ヘッドホンとスピーカとの出力を切替える際の利便性を向上させることができる。
【図面の簡単な説明】
【００１１】
【図１】第１の実施形態による音響システムの一例を示す外観図である。
【図２】第１の実施形態による音響システムの一例を示す機能ブロック図である。
【図３】第１の実施形態によるヘッドホン装置の動作の一例を示すフローチャートである。
【図４】第１の実施形態によるスピーカ装置の動作の一例を示すフローチャートである。
【図５】第１の実施形態によるヘッドホン装置単体での動作例を示す図である。
【図６】第１の実施形態によるヘッドホン装置とスピーカ装置とを接続させた場合の動作例を示す図である。
【図７】第２の実施形態による音響システムの一例を示す外観図である。
【図８】第２の実施形態による音響システムの一例を示す機能ブロック図である。
【図９】第２の実施形態によるヘッドホン装置の動作の一例を示すフローチャートである。
【発明を実施するための形態】
【００１２】
以下、本発明の実施形態による音響システム及び音響出力方法について、図面を参照して説明する。
【００１３】
［第１の実施形態］
図１は、第１の実施形態による音響システム１００の一例を示す外観図である。また、図２は、第１の実施形態による音響システム１００の一例を示す機能ブロック図である。
図１及び図２に示すように、音響システム１００は、ヘッドホン装置１と、スピーカ装置２とを備える。
【００１４】
ヘッドホン装置１は、例えば、ワイヤレスヘッドホンであり、ギター３などの楽器が演奏した音データを、送信装置４を介して無線通信により受信し、ヘッドホン部１４（ヘッドホン）から音を出力する。ヘッドホン装置１は、後述するスピーカ装置２のドック部２４と着脱可能に構成されており、例えば、２次電池１８を充電する際、又は、スピーカ装置２から音を出力した場合に、スピーカ装置２のドック部２４にセット（装着）される。ヘッドホン装置１は、無線通信部１１と、信号処理部１２と、ＨＰ（ヘッドホン）アンプ１３と、ヘッドホン部１４と、通信部１５と、接続判定部１６と、出力制御部１７とを備える。
【００１５】
無線通信部１１は、例えば、Bluetooth（登録商標）などの無線通信により、送信装置４との間の通信を行う。無線通信部１１は、例えば、ギター３により演奏された音データを、送信装置４から受信する。無線通信部１１は、受信した音データを、例えば、信号処理部１２に供給する。ここで、送信装置４は、音データを出力する音出力装置の一例である。無線通信部１１は、複数の音出力装置から音データを受信してもよく、受信した複数種類の音データを信号処理部１２に供給する。
【００１６】
送信装置４は、ギター３による演奏を音データに変換し、上述した無線通信により、ヘッドホン装置１に送信する。
【００１７】
信号処理部１２（合成処理部の一例）は、例えば、ＤＳＰ（Digital Signal Processor）などのプロセッサであり、無線通信部１１が受信した音データの各種信号処理を実行する。信号処理部１２は、出力制御部１７からの制御指示に基づいて、各種信号処理を実行するとともに、ＨＰアンプ１３、又は通信部１５に音データを出力する。信号処理部１２は、例えば、複数種類の音データを無線通信部１１から取得した場合に、複数種類の音データを合成した合成音データを生成する。すなわち、信号処理部１２は、例えば、複数種類の音データを無線通信部１１から取得した場合に、複数種類の音データをミキシング（混合）した合成音データを生成する。
【００１８】
ＨＰアンプ１３は、例えば、ＤＡＣ（Digital to Analog Converter）内蔵アンプであり、取得した音データを変換及び増幅した音信号をヘッドホン部１４に出力して、ヘッドホン部１４から音を出力させる。ＨＰアンプ１３は、出力制御部１７からの制御指示に基づいて、音信号の出力、出力停止、音量変更などの処理を実行する。
【００１９】
ヘッドホン部１４は、例えば、ヘッドバンド付きイヤホンであり、ＨＰアンプ１３から出力された音信号を音に変換して、出力（放音）する。なお、ヘッドホン部１４は、ヘッドバンド付きイヤホンの他に、例えば、挿入イヤホン、耳のせイヤホン、耳覆いイヤホンなど、耳に密接して装着することで、耳に直接音を伝えるようにしたイヤホン型の放音器であってもよい。
【００２０】
通信部１５は、例えば、接触式の通信インターフェースであり、スピーカ装置２の通信部２１と接触することにより、ヘッドホン装置１とスピーカ装置２とが電気的に接続され、ヘッドホン装置１とスピーカ装置２との間の通信を行う。通信部１５は、例えば、信号処理部１２から出力された音データをスピーカ装置２に送信する。また、通信部１５は、２次電池１８を充電するための充電電力が供給される充電電極（不図示）を備えており、スピーカ装置２から供給された充電電力を２次電池１８に供給する。
【００２１】
接続判定部１６は、ヘッドホン装置１とスピーカ装置２とが電気的に接続されているか否かを判定する。接続判定部１６は、通信部１５がスピーカ装置２の通信部２１と接触して通電しているか否かに基づいて、ヘッドホン装置１とスピーカ装置２とが電気的に接続されているか否かを判定する。接続判定部１６は、ヘッドホン装置１とスピーカ装置２とが電気的に接続されているか否かの判定結果を出力制御部１７に出力する。
【００２２】
出力制御部１７（第１出力制御部の一例）は、ヘッドホン装置１とスピーカ装置２とが接続されている場合に、音データを出力する送信装置４（音出力装置）から無線通信により受信した音データをスピーカ装置２に送信し、ヘッドホン装置１（自装置）とスピーカ装置２とが接続されていない場合に、音データに基づく音をヘッドホン部１４から出力させる。
【００２３】
出力制御部１７は、例えば、ヘッドホン装置１とスピーカ装置２とが電気的に接続されていると判定された判定結果を、接続判定部１６から取得した場合に、信号処理部１２に対して、無線通信部１１が受信した音データを通信部１５に出力させる。そして、出力制御部１７は、通信部１５に、信号処理部１２が出力した当該音データをスピーカ装置２に送信させる。また、出力制御部１７は、ヘッドホン装置１とスピーカ装置２とが接続されている場合に、ヘッドホン部１４の出力を停止させる。
なお、無線通信部１１が複数種類の音データを並列して受信している場合には、出力制御部１７は、信号処理部１２が複数種類の音データに基づいて生成した合成音データを、通信部１５を介してスピーカ装置２に送信させる。また、出力制御部１７は、接続判定部１６から取得した判定結果を、通信部１５を介してスピーカ装置２に送信させてもよい。
【００２４】
また、出力制御部１７は、例えば、ヘッドホン装置１とスピーカ装置２とが電気的に接続されていないと判定された判定結果を、接続判定部１６から取得した場合に、信号処理部１２に対して、無線通信部１１が受信した音データをＨＰアンプ１３に出力させる。そして、出力制御部１７は、ＨＰアンプ１３に、信号処理部１２が出力した当該音データを音信号に変換させるとともに、ヘッドホン部１４に出力させる。これにより、ヘッドホン部１４は、無線通信部１１が受信した音データに基づく音をヘッドホン部１４から出力（放音）する。
なお、無線通信部１１が複数種類の音データを並列して受信している場合には、出力制御部１７は、信号処理部１２が複数種類の音データに基づいて生成した合成音データをＨＰアンプ１３に出力させて、当該合成音データに基づく音をヘッドホン部１４に出力させる。
【００２５】
２次電池１８は、例えば、リチウムイオン電池やニッケル水素蓄電池などの蓄電池であり、ヘッドホン装置１の各部に電力を供給する。すなわち、２次電池１８は、自装置（ヘッドホン装置１）を動作させる電力を供給する。また、２次電池１８は、ヘッドホン装置１とスピーカ装置２とが電気的に接続されている場合に、通信部１５を介して、ヘッドホン装置１から供給された充電電力により充電される。
【００２６】
スピーカ装置２は、ヘッドホン装置１と接続可能であり、スピーカ（２３Ｌ、２３Ｒ）から音を出力する。また、スピーカ装置２は、充電ドック（充電スタンド）として機能し、ヘッドホン装置１とスピーカ装置２とが接続されている場合に、ヘッドホン装置１が備える２次電池１８に充電電力を供給して、２次電池１８を充電する。
また、スピーカ装置２は、通信部２１と、ＳＰ（スピーカ）アンプ２２と、スピーカ（２３Ｌ、２３Ｒ）と、ＳＰ制御部３０とを備える。
【００２７】
なお、本実施形態において、スピーカ２３Ｌと、スピーカ２３Ｒとは、同一の構成であり、スピーカ装置２が備える任意のスピーカを示す場合、又は特に区別しない場合には、スピーカ２３として説明する。
【００２８】
通信部２１は、例えば、接触式の通信インターフェースであり、ヘッドホン装置１の通信部１５と接触することにより、ヘッドホン装置１とスピーカ装置２とが電気的に接続され、ヘッドホン装置１とスピーカ装置２との間の通信を行う。通信部２１は、ヘッドホン装置１の通信部１５から送信された音データを受信する。また、通信部２１は、２次電池１８を充電するための充電電力を供給する充電電極（不図示）を備えており、２次電池１８の充電電力を、通信部１５を介して２次電池１８に供給する。
【００２９】
ＳＰアンプ２２は、例えば、ＤＡＣ内蔵アンプであり、通信部２１が受信した音データを変換及び増幅した音信号をスピーカ２３に出力して、スピーカ２３から音を出力させる。ＳＰアンプ２２は、出力制御部３２からの制御指示に基づいて、音信号の出力、出力停止、音量変更などの処理を実行する。
【００３０】
スピーカ２３は、スピーカ２３Ｌとスピーカ２３Ｒとステレオスピーカを構成しており、ＳＰアンプ２２から出力された音信号を音に変換して、出力（放音）する。
ＳＰ制御部３０は、例えば、ＣＰＵ（Central Processing Unit）などを含むプロセッサであり、スピーカ装置２を統括的に制御する。ＳＰ制御部３０は、充電制御部３１と、出力制御部３２とを備える。
【００３１】
充電制御部３１は、ヘッドホン装置１とスピーカ装置２とが接続されている場合に、２次電池１８を充電する充電電力の供給を制御する。なお、充電制御部３１は、例えば、通信部２１を介して取得した接続判定部１６の判定結果に基づいて、ヘッドホン装置１とスピーカ装置２とが電気的に接続されているか否かを判定する。充電制御部３１は、ヘッドホン装置１とスピーカ装置２とが接続されている場合に、通信部２１に２次電池１８の充電電力を供給させて、２次電池１８を充電させる。充電制御部３１は、通信部２１を介して、例えば、２次電池１８の充電が完了したことを示した情報を取得した場合には、通信部２１に充電電力の供給を停止させてもよい。
【００３２】
出力制御部３２（第２出力制御部の一例）は、ヘッドホン装置１とスピーカ装置２とが接続されている場合に、ヘッドホン装置１から送信された音データに基づく音をスピーカ２３から出力させる。出力制御部３２は、ヘッドホン装置１とスピーカ装置２とが接続されている場合に、通信部２１を介して、ヘッドホン装置１から受信した音データを、ＳＰアンプ２２に出力させて、当該音データに基づく音をスピーカ２３に出力させる。
【００３３】
なお、上述した無線通信部１１が複数種類の音データを並列して受信している場合には、出力制御部３２は、信号処理部１２が複数種類の音データに基づいて生成した合成音データに基づく音をスピーカ２３に出力させる。
また、出力制御部３２は、ヘッドホン装置１とスピーカ装置２とが接続されていない場合に、スピーカ２３の出力を停止させる。
【００３４】
次に、図面を参照して、本実施形態による音響システム１００の動作について説明する。
図３は、本実施形態によるヘッドホン装置１の動作の一例を示すフローチャートである。なお、図３は、ヘッドホン装置１の音響出力制御の処理の一例を示している。
【００３５】
図３において、まず、ヘッドホン装置１は、スピーカ装置２と接続されているか否かを判定する（ステップＳ１０１）。ヘッドホン装置１の接続判定部１６は、通信部１５がスピーカ装置２の通信部２１と接触して通電しているか否かに基づいて、ヘッドホン装置１とスピーカ装置２とが電気的に接続されているか否かを判定し、当該判定結果を出力制御部１７に出力する。出力制御部１７は、接続判定部１６が判定した判定結果に基づいて、自装置（ヘッドホン装置１）とスピーカ装置２と接続されているか否かを判定する。出力制御部１７は、自装置（ヘッドホン装置１）とスピーカ装置２と接続されている場合（ステップＳ１０１：ＹＥＳ）に、処理をステップＳ１０２に進める。また、出力制御部１７は、自装置（ヘッドホン装置１）とスピーカ装置２と接続されていない場合（ステップＳ１０１：ＮＯ）に、処理をステップＳ１０３に進める。
【００３６】
ステップＳ１０２において、出力制御部１７は、受信した音データをスピーカ装置２に送信するとともに、ヘッドホン部１４の出力を停止する。出力制御部１７は、信号処理部１２に対して、無線通信部１１が受信した音データを通信部１５に出力させる。そして、出力制御部１７は、通信部１５に、信号処理部１２が出力した当該音データをスピーカ装置２に送信させる。また、出力制御部１７は、ヘッドホン部１４の出力を停止させてヘッドホン部１４を消音させる。ステップＳ１０２の処理後に、出力制御部１７は、処理をステップＳ１０１に戻す。
【００３７】
また、ステップＳ１０３において、出力制御部１７は、受信した音データをヘッドホン部１４から出力させるとともに、スピーカ装置２への送信を停止する。例えば、出力制御部１７は、信号処理部１２に対して、無線通信部１１が受信した音データをＨＰアンプ１３に出力させる。そして、出力制御部１７は、ＨＰアンプ１３に、信号処理部１２が出力した当該音データを音信号に変換させるとともに、ヘッドホン部１４に出力させる。これにより、ヘッドホン部１４は、無線通信部１１が受信した音データに基づく音をヘッドホン部１４から出力（放音）する。また、出力制御部１７は、信号処理部１２対して、スピーカ装置２に送信する音データの出力を停止させるとともに、通信部１５にスピーカ装置２への送信を停止させる。ステップＳ１０３の処理後に、出力制御部１７は、処理をステップＳ１０１に戻す。
【００３８】
このように、ヘッドホン装置１は、ヘッドホン装置１とスピーカ装置２とが接続されている場合に、無線通信により、例えば、送信装置４から受信した音データをスピーカ装置２に送信するとともに、ヘッドホン部１４の出力を停止して消音させる。そして、ヘッドホン装置１は、ヘッドホン装置１とスピーカ装置２とが接続されていない場合に、当該音データに基づく音をヘッドホン部１４から出力させる。
【００３９】
次に、図４を参照して、本実施形態によるスピーカ装置２の動作の一例について説明する。
図４は、本実施形態によるスピーカ装置２の動作の一例を示すフローチャートである。なお、図４に示す例は、スピーカ装置２の音響出力制御の処理の一例を示している。
【００４０】
図４において、まず、スピーカ装置２は、ヘッドホン装置１と接続されているか否かを判定する（ステップＳ２０１）。スピーカ装置２の出力制御部３２は、例えば、接続判定部１６が判定した判定結果に基づいて、ヘッドホン装置１と自装置（スピーカ装置２）と接続されているか否かを判定する。出力制御部３２は、ヘッドホン装置１と自装置（スピーカ装置２）と接続されている場合（ステップＳ２０１：ＹＥＳ）に、処理をステップＳ２０２に進める。また、出力制御部３２は、ヘッドホン装置１と自装置（スピーカ装置２）と接続されていない場合（ステップＳ２０１：ＮＯ）に、処理をステップＳ２０３に進める。
【００４１】
ステップＳ２０２において、出力制御部３２は、受信した音データをスピーカ２３から出力させる。出力制御部３２は、通信部２１がヘッドホン装置１から受信した音データを、ＳＰアンプ２２に、音信号に変換させるとともにスピーカ２３に出力させる。これにより、スピーカ２３は、ヘッドホン装置１から受信した音データに基づく音をスピーカ２３から出力（放音）する。ステップＳ２０２の処理後に、出力制御部３２は、処理をステップＳ２０１に戻す。
【００４２】
また、ステップＳ２０３において、出力制御部３２は、スピーカ２３の出力を停止する。出力制御部３２は、例えば、ＳＰアンプ２２に、音信号の出力を停止させて、スピーカ２３を消音させる。ステップＳ２０３の処理後に、出力制御部３２は、処理をステップＳ２０１に戻す。
【００４３】
このように、スピーカ装置２は、ヘッドホン装置１とスピーカ装置２とが接続されている場合に、ヘッドホン装置１から受信した音データをスピーカ２３に出力する。そして、スピーカ装置２は、ヘッドホン装置１とスピーカ装置２とが接続されていない場合に、スピーカ２３の出力を停止して、スピーカ２３を消音させる。
【００４４】
図５は、本実施形態によるヘッドホン装置１単体での動作例を示す図である。
図５に示す例では、ギター３の演奏した音データと、スマートフォン５が出力する音データとを、合成（混合）した音を、ヘッドホン装置１から出力させる場合の一例について説明する。
【００４５】
送信装置４は、ギター３の演奏を音データに変換し、当該音データを無線通信によりヘッドホン装置１に送信する。また、スマートフォン５は、再生した音データを無線通信によりヘッドホン装置１に送信する。
ヘッドホン装置１の無線通信部１１は、ギター３の演奏を送信装置４が変換した音データを無線通信により受信するとともに、スマートフォン５から送信された音データを無線通信により受信する。
【００４６】
次に、ヘッドホン装置１の信号処理部１２は、送信装置４から無線通信部１１が受信した音データと、スマートフォン５から無線通信部１１が受信した音データとを合成して、合成音データを生成する。
【００４７】
図５に示す例では、ヘッドホン装置１とスピーカ装置２とが接続されていないため、ヘッドホン装置１の出力制御部１７は、信号処理部１２が合成した合成音データを、ＨＰアンプ１３に、音信号に変換させるとともに、ヘッドホン部１４に当該音信号に基づく音を出力させる。音響システム１００（ヘッドホン装置１）の利用者は、頭部にヘッドホン装置１を装着することで、ギター３を演奏しながら、ギター３の演奏及びスマートフォン５の再生音を、ヘッドホン部１４から聞くことができる。
【００４８】
なお、ギター３の演奏とスマートフォン５の再生とのいずれか一方のみの場合でも、同様に、利用者は、頭部にヘッドホン装置１を装着することで、ギター３の演奏又はスマートフォン５の再生音を、ヘッドホン部１４から聞くことができる。
【００４９】
また、図６は、本実施形態によるヘッドホン装置１とスピーカ装置２とを接続させた場合の動作例を示す図である。
スピーカ装置２から音を出力させた場合には、利用者は、図６に示すように、ヘッドホン装置１をスピーカ装置２のドック部２４に装着して、ヘッドホン装置１とスピーカ装置２とを電気的に接続させる。
【００５０】
図６において、まず、ヘッドホン装置１の無線通信部１１は、ギター３の演奏を送信装置４が変換した音データを無線通信により受信するとともに、スマートフォン５から送信された音データを無線通信により受信し、信号処理部１２が受信した音データを合成した合成音データを生成する。図６に示す例では、ヘッドホン装置１とスピーカ装置２とが接続されているため、ヘッドホン装置１の出力制御部１７は、通信部１５に対して、信号処理部１２が合成した合成音データをスピーカ装置２に送信させる。また、出力制御部１７は、ＳＰアンプ２２に対して、ヘッドホン部１４の出力を停止してヘッドホン部１４を消音させる。
【００５１】
また、スピーカ装置２の通信部２１は、ヘッドホン装置１から送信された合成音データを受信する。スピーカ装置２の出力制御部３２は、通信部２１がヘッドホン装置１から受信した音データを、ＳＰアンプ２２に、音信号に変換させるとともにスピーカ２３に出力させる。これにより、スピーカ装置２は、ギター３の演奏の音データと、スマートフォン５が再生した音データとを合成した合成音データに基づく音をスピーカ２３から出力（放音）し、利用者は、スピーカ２３から演奏を確認することができる。
【００５２】
なお、ギター３の演奏とスマートフォン５の再生とのいずれか一方のみの場合でも、同様に、利用者は、ヘッドホン装置１をスピーカ装置２のドック部２４に装着することで、ギター３の演奏又はスマートフォン５の再生音を、スピーカ２３から聞くことができる。
【００５３】
以上説明したように、本実施形態による音響システム１００は、ヘッドホン部１４（ヘッドホン）から音を出力するヘッドホン装置１と、ヘッドホン装置１と接続可能であり、スピーカ２３から音を出力するスピーカ装置２と、を備える。ヘッドホン装置１は、ヘッドホン装置１とスピーカ装置２とが接続されている場合に、音データを出力する音出力装置（例えば、送信装置４、スマートフォン５など）から無線通信により受信した音データをスピーカ装置２に送信し、ヘッドホン装置１（自装置）とスピーカ装置２とが接続されていない場合に、音データに基づく音をヘッドホン部１４から出力させる出力制御部１７（第１出力制御部）を備える。そして、スピーカ装置２は、ヘッドホン装置１とスピーカ装置２とが接続されている場合に、ヘッドホン装置１から送信された音データに基づく音をスピーカ２３から出力させる出力制御部３２（第２出力制御部）を備える。
【００５４】
これにより、本実施形態による音響システム１００は、ヘッドホン装置１とスピーカ装置２と接続させるか否かにより、音の出力先を切り替えることができる。そのため、本実施形態による音響システム１００は、例えば、ヘッドホン部１４からスピーカ２３に音の出力を切り替える場合や、スピーカ２３からヘッドホン部１４に音の出力を切り替える場合に、ケーブルをつなぎ替える（切替える）必要がない。よって、本実施形態による音響システム１００は、ヘッドホン部１４とスピーカ２３との出力を切替える際の利便性を向上させることができる。
【００５５】
また、本実施形態では、出力制御部１７は、ヘッドホン装置１とスピーカ装置２とが接続されている場合に、音データをスピーカ装置２に送信するとともに、ヘッドホン部１４の出力を停止させる。出力制御部３２は、ヘッドホン装置１とスピーカ装置２とが接続されていない場合に、スピーカ２３の出力を停止させる。
これにより、本実施形態による音響システム１００は、ヘッドホン装置１とスピーカ装置２と接続させるか否かにより、ヘッドホン部１４とスピーカ２３とのうちの一方から音が出力されるように、適切に切り替えることができる。
【００５６】
また、本実施形態では、ヘッドホン装置１は、複数の音出力装置（例えば、送信装置４及びスマートフォン５）から受信した複数種類の音データに基づいて合成音データを生成する信号処理部１２（合成処理部）を備える。出力制御部１７は、ヘッドホン装置１とスピーカ装置２とが接続されている場合に、信号処理部１２によって生成された合成音データをスピーカ装置２に送信し、ヘッドホン装置１とスピーカ装置２とが接続されていない場合に、信号処理部１２によって生成された合成音データに基づく音をヘッドホン部１４から出力させる。
これにより、本実施形態による音響システム１００は、利用者が複数の音源からの音データを聞いて楽しむことができるため、さらに利便性を向上させることができる。
【００５７】
また、本実施形態では、ヘッドホン装置１は、自装置を動作させる電力を供給する２次電池１８を備える。スピーカ装置２は、ヘッドホン装置１とスピーカ装置２とが接続されている場合に、２次電池１８を充電する充電電力の供給を制御する充電制御部３１を備える。
【００５８】
これにより、本実施形態による音響システム１００は、スピーカ装置２から音を出力している間に、ヘッドホン装置１を動作させる電力を供給する２次電池１８を充電することができるとともに、２次電池１８を充電している間にスピーカ装置２から音を出力することができる。すなわち、本実施形態による音響システム１００は、ヘッドホン装置１が充電中で一般には使用不可能な期間を、スピーカ装置２から音を出力することにより有効に利用することができる。そのため、本実施形態による音響システム１００は、さらに利便性を向上させることができる。
【００５９】
また、本実施形態によるヘッドホン装置１は、ヘッドホン装置１とスピーカ装置２とを備える音響システム１００のヘッドホン装置１であって、出力制御部１７を備える。出力制御部１７は、自装置（ヘッドホン装置１）とスピーカ装置２とが接続されている場合に、音データを出力する音出力装置（例えば、送信装置４、スマートフォン５など）から無線通信により受信した音データをスピーカ装置２に送信し、自装置（ヘッドホン装置１）とスピーカ装置２とが接続されていない場合に、音データに基づく音をヘッドホン部１４から出力させる。
これにより、本実施形態によるヘッドホン装置１は、上述した本実施形態による音響システム１００と同様の効果を奏し、利便性を向上させることができる。
【００６０】
また、本実施形態によるスピーカ装置２は、ヘッドホン装置１とスピーカ装置２とを備える音響システム１００のスピーカ装置２であって、出力制御部３２を備える。出力制御部３２は、ヘッドホン装置１と自装置（スピーカ装置２）とが接続されている場合に、音データを出力する音出力装置（例えば、送信装置４、スマートフォン５など）から無線通信によりヘッドホン装置１が受信した音データであって、ヘッドホン装置１から送信された音データに基づく音をスピーカ２３から出力させる。
これにより、本実施形態によるスピーカ装置２は、上述した本実施形態による音響システム１００と同様の効果を奏し、利便性を向上させることができる。
【００６１】
また、本実施形態による音響出力方法は、ヘッドホン装置１とスピーカ装置２とを備える音響システム１００の音響出力方法であって、第１出力制御ステップと、第２出力制御ステップとを含む。第１出力制御ステップにおいて、ヘッドホン装置１が、ヘッドホン装置１とスピーカ装置２とが接続されている場合に、音データを出力する音出力装置（例えば、送信装置４、スマートフォン５など）から無線通信により受信した音データをスピーカ装置２に送信し、ヘッドホン装置１とスピーカ装置２とが接続されていない場合に、音データに基づく音をヘッドホン部１４から出力させる。第２出力制御ステップにおいて、スピーカ装置２が、ヘッドホン装置１とスピーカ装置２とが接続されている場合に、ヘッドホン装置１から送信された音データに基づく音をスピーカ２３から出力させる。
これにより、本実施形態による音響出力方法は、上述した本実施形態による音響システム１００と同様の効果を奏し、利便性を向上させることができる。
【００６２】
［第２の実施形態］
次に、図面を参照して、第２の実施形態による音響システム１００ａについて説明する。
上述した第１の実施形態では、ヘッドホン装置１とスピーカ装置２との間の接続を接触式の通信インターフェースで行う一例を説明したが、本実施形態では、ヘッドホン装置１とスピーカ装置２との間の接続を非接触通信により行う場合の一例について説明する。
【００６３】
図７は、本実施形態による音響システム１００ａの一例を示す外観図である。また、図８は、本実施形態による音響システム１００ａの一例を示す機能ブロック図である。
図７及び図８に示すように、音響システム１００ａは、ヘッドホン装置１ａと、スピーカ装置２ａとを備える。
なお、図７及び図８において、図１及び図２の示す構成と同一の構成には同一の符号を付与してその説明を省略する。
【００６４】
ヘッドホン装置１ａは、例えば、ワイヤレスヘッドホンであり、スピーカ装置２ａのドック部２４と着脱可能に構成されている。ヘッドホン装置１ａは、無線通信部１１と、信号処理部１２と、ＨＰアンプ１３と、ヘッドホン部１４と、通信部１５ａと、接続判定部１６ａと、出力制御部１７ａと、充電端子Ｔ１とを備える。
【００６５】
通信部１５ａは、例えば、赤外線による非接触式の通信インターフェースであり、スピーカ装置２ａの通信部２１ａと非接触により、ヘッドホン装置１ａとスピーカ装置２ａとが電気的に接続され、ヘッドホン装置１ａとスピーカ装置２ａとの間の通信を行う。通信部１５ａは、例えば、信号処理部１２から出力された音データをスピーカ装置２ａに送信する。なお、通信部１５ａは、例えば、赤外線によりヘッドホン装置１ａとスピーカ装置２ａとの間の距離が測定可能に構成されている。
【００６６】
充電端子Ｔ１は、２次電池１８に充電電力を供給するための端子であり、後述するスピーカ装置２ａの充電端子Ｔ２と接触することにより、充電電力が供給される。
【００６７】
接続判定部１６ａは、ヘッドホン装置１ａとスピーカ装置２ａとが電気的に接続されているか否かを判定する。接続判定部１６ａは、例えば、通信部１５ａがスピーカ装置２ａの通信部２１ａと通信可能であるか否かに基づいて、ヘッドホン装置１ａとスピーカ装置２ａとが電気的に接続されているか否かを判定する。接続判定部１６ａは、ヘッドホン装置１ａとスピーカ装置２ａとが電気的に接続されているか否かの判定結果を出力制御部１７ａに出力する。また、接続判定部１６ａは、ヘッドホン装置１ａとスピーカ装置２ａとが電気的に接続されている場合に、ヘッドホン装置１ａとスピーカ装置２ａとの間の距離を出力制御部１７ａに出力する。
【００６８】
出力制御部１７ａ（第１出力制御部の一例）は、ヘッドホン装置１ａとスピーカ装置２とが接続されている場合に、音データをスピーカ装置２ａに送信するとともに、音データに基づく音をヘッドホン部１４から出力させる。出力制御部１７ａは、例えば、ヘッドホン装置１ａとスピーカ装置２ａとの距離に応じて、スピーカ装置２ａに送信する音データの音量と、ヘッドホン部１４から出力させる音データの音量との比率を変更する。
【００６９】
ヘッドホン装置１ａとスピーカ装置２ａとの間の距離が、例えば、２ｍ（メートル）以下になった場合に、接続判定部１６ａがヘッドホン装置１ａとスピーカ装置２ａとが接続されていると判定する。ヘッドホン装置１ａとスピーカ装置２ａとの間の距離が２ｍ以内において、出力制御部１７ａは、ヘッドホン装置１ａとスピーカ装置２ａとの距離が近い程、スピーカ装置２に送信する音データの音量を大きく、且つ、ヘッドホン部１４から出力させる音データの音量を小さくするように制御する。なお、出力制御部１７ａは、音データの音量を、信号処理部１２に変更させる。
【００７０】
また、出力制御部１７ａは、ヘッドホン装置１ａとスピーカ装置２ａとが接触により接続されている場合（例えば、距離が０ｍである場合）に、ヘッドホン部１４の出力を停止させる。
【００７１】
例えば、ヘッドホン装置１ａとスピーカ装置２ａとの間の距離が、２ｍ以上である場合に、出力制御部１７ａは、ヘッドホン部１４から出力させる音データの音量を１００％とするとともに、スピーカ装置２ａに送信する音データの音量を０（ゼロ、無音）とする。例えば、ヘッドホン装置１ａとスピーカ装置２ａとの間の距離が、１ｍである場合には、出力制御部１７ａは、ヘッドホン部１４から出力させる音データの音量を半分（１／２）の５０％にするとともに、スピーカ装置２ａに送信する音データの音量が半分（１／２）の５０％にする。そして、例えば、ヘッドホン装置１ａとスピーカ装置２ａとの間の距離が、０ｍである場合に、出力制御部１７ａは、ヘッドホン部１４から出力させる音データの音量を０（ゼロ、無音）にするとともに、スピーカ装置２ａに送信する音データの音量が１００％にする。
【００７２】
このように、本実施形態では、出力制御部１７ａは、ヘッドホン装置１ａをスピーカ装置２ａに近づけることにより、ヘッドホン部１４からの音の出力の音量を徐々に低下させてフェードアウトさせ、スピーカ装置２ａへの音の出力の音量を徐々に増大させてフェードインさせる。
その他の出力制御部１７ａの機能は、上述した第１の実施形態と同様である。
【００７３】
スピーカ装置２ａは、ヘッドホン装置１ａと接続可能であり、スピーカ２３（２３Ｌ、２３Ｒ）から音を出力する。また、スピーカ装置２ａは、充電ドック（充電スタンド）として機能し、ヘッドホン装置１ａとスピーカ装置２ａとが接触により接続されている場合に、ヘッドホン装置１ａが備える２次電池１８に充電電力を供給して、２次電池１８を充電する。
【００７４】
また、スピーカ装置２ａは、通信部２１ａと、ＳＰアンプ２２と、スピーカ２３（２３Ｌ、２３Ｒ）と、ＳＰ制御部３０ａと、充電端子Ｔ２とを備える。
【００７５】
通信部２１ａは、例えば、赤外線による非接触式の通信インターフェースであり、スピーカ装置２ａの通信部２１ａと非接触により、ヘッドホン装置１ａとスピーカ装置２ａとが電気的に接続され、ヘッドホン装置１ａとスピーカ装置２ａとの間の通信を行う。通信部２１ａは、ヘッドホン装置１ａの通信部１５ａから送信された音データを受信する。
【００７６】
充電端子Ｔ２は、２次電池１８に充電電力を供給するための端子であり、後述するスピーカ装置２ａの充電端子Ｔ１と接触することにより、充電電力を供給する。
【００７７】
ＳＰ制御部３０ａは、例えば、ＣＰＵなどを含むプロセッサであり、スピーカ装置２ａを統括的に制御する。ＳＰ制御部３０ａは、充電制御部３１と、出力制御部３２ａとを備える。
【００７８】
出力制御部３２ａ（第２出力制御部の一例）は、ヘッドホン装置１ａとスピーカ装置２ａとが非接触通信により接続されている場合に、ヘッドホン装置１ａから送信された音データに基づく音をスピーカ２３から出力させる。出力制御部３２ａは、ヘッドホン装置１ａとスピーカ装置２ａとが非接触通信により接続されている場合に、通信部２１ａを介して、ヘッドホン装置１ａから受信した音データを、ＳＰアンプ２２に出力させて、当該音データに基づく音をスピーカ２３に出力させる。
【００７９】
次に、図面を参照して、本実施形態による音響システム１００ａの動作について説明する。
図９は、本実施形態によるヘッドホン装置１ａの動作の一例を示すフローチャートである。なお、図９は、ヘッドホン装置１ａの音響出力制御の処理の一例を示している。
【００８０】
図９において、まず、ヘッドホン装置１ａは、スピーカ装置２ａと非接触通信により接続されているか否かを判定する（ステップＳ３０１）。ヘッドホン装置１ａの接続判定部１６ａは、通信部１５ａがスピーカ装置２ａの通信部２１ａと非接触通信によりヘッドホン装置１ａとスピーカ装置２ａとが電気的に接続されているか否かを判定し、当該判定結果を出力制御部１７ａに出力する。出力制御部１７ａは、接続判定部１６ａが判定した判定結果に基づいて、自装置（ヘッドホン装置１ａ）とスピーカ装置２ａと接続されているか否かを判定する。出力制御部１７ａは、自装置（ヘッドホン装置１ａ）とスピーカ装置２ａと接続されている場合（ステップＳ３０１：ＹＥＳ）に、処理をステップＳ３０２に進める。また、出力制御部１７ａは、自装置（ヘッドホン装置１ａ）とスピーカ装置２ａと接続されていない場合（ステップＳ３０１：ＮＯ）に、処理をステップＳ３０４に進める。
【００８１】
ステップＳ３０２において、出力制御部１７ａは、スピーカ装置２ａとの距離に応じて、受信した音データのヘッドホン出力の音量と、スピーカ出力の音量とを変更する。出力制御部１７ａは、接続判定部１６ａからヘッドホン装置１ａとスピーカ装置２ａとの間の距離を取得し、当該距離に応じて、スピーカ装置２ａに送信する音データの音量と、ヘッドホン部１４から出力させる音データの音量との比率を変更する。
例えば、出力制御部１７ａは、ヘッドホン装置１ａとスピーカ装置２ａとの距離が近い程、スピーカ装置２ａに送信する音データの音量を大きく、且つ、ヘッドホン部１４から出力させる音データの音量を小さくするように、音データの音量を信号処理部１２に変更させる。
【００８２】
次に、出力制御部１７ａは、音量を変更したスピーカ用の音データをスピーカ装置２ａに送信するとともに、ヘッドホン用の音データをヘッドホン部１４から出力させる（ステップＳ３０３）。出力制御部１７ａは、信号処理部１２に対して、音量を変更したスピーカ用の音データを通信部１５ａに出力させる。そして、出力制御部１７ａは、通信部１５ａに、信号処理部１２が出力した当該音データをスピーカ装置２ａに送信させる。また、出力制御部１７ａは、信号処理部１２に対して、音量を変更したヘッドホン用の音データをＨＰアンプ１３に出力させて、当該音データをヘッドホン部１４から出力させる。
【００８３】
なお、出力制御部１７ａは、ヘッドホン装置１ａとスピーカ装置２ａとが接触により接続されている場合（例えば、距離が０ｍである場合）に、ヘッドホン部１４の出力を停止させる。ステップＳ３０３の処理後に、出力制御部１７ａは、処理をステップＳ３０１に戻す。
【００８４】
また、ステップＳ３０４において、出力制御部１７ａは、受信した音データをヘッドホン部１４から出力させるとともに、スピーカ装置２ａへの送信を停止する。出力制御部１７ａは、信号処理部１２に対して、無線通信部１１が受信した音データをＨＰアンプ１３に出力させる。そして、出力制御部１７ａは、ＨＰアンプ１３に、信号処理部１２が出力した当該音データを音信号に変換させるとともに、ヘッドホン部１４に出力させる。これにより、ヘッドホン部１４は、無線通信部１１が受信した音データに基づく音をヘッドホン部１４から出力（放音）する。また、出力制御部１７ａは、信号処理部１２対して、スピーカ装置２ａに送信する音データの出力を停止させるとともに、通信部１５ａにスピーカ装置２ａへの送信を停止させる。ステップＳ３０４の処理後に、出力制御部１７ａは、処理をステップＳ３０１に戻す。
【００８５】
また、本実施形態によるスピーカ装置２ａの動作（スピーカ装置２ａの音響出力制御の処理）は、上述した図４に示す第１の実施形態と同様であるため、ここではその説明を省略する。
【００８６】
以上説明したように、本実施形態による音響システム１００ａは、ヘッドホン装置１ａと、スピーカ装置２ａとを備える。ヘッドホン装置１ａは、ヘッドホン装置１ａとスピーカ装置２ａとが非接触通信により接続されている場合に、音データを出力する音出力装置（例えば、送信装置４、スマートフォン５など）から非接触通信により受信した音データをスピーカ装置２ａに送信し、ヘッドホン装置１ａ（自装置）とスピーカ装置２ａとが非接触通信により接続されていない場合に、音データに基づく音をヘッドホン部１４から出力させる出力制御部１７ａ（第１出力制御部）を備える。そして、スピーカ装置２ａは、ヘッドホン装置１ａとスピーカ装置２ａとが非接触通信により接続されている場合に、ヘッドホン装置１ａから送信された音データに基づく音をスピーカ２３から出力させる出力制御部３２ａ（第２出力制御部）を備える。
これにより、本実施形態による音響システム１００ａは、第１の実施形態と同様の効果を奏し、ヘッドホン部１４とスピーカ２３との出力を切替える際の利便性を向上させることができる。
【００８７】
また、本実施形態では、ヘッドホン装置１ａとスピーカ装置２ａとの接続には、非接触通信による接続が含まれる。出力制御部１７ａは、ヘッドホン装置１ａとスピーカ装置２ａとが非接触通信により接続されている場合に、音データをスピーカ装置２ａに送信するとともに、音データに基づく音をヘッドホン部１４から出力させる。
これにより、本実施形態による音響システム１００ａは、例えば、ヘッドホン部１４とスピーカ２３との出力を切替える際に音の出力が途切れることがなくなるため、さらに利便性を向上させることができる。
【００８８】
また、本実施形態では、出力制御部１７ａは、ヘッドホン装置１ａとスピーカ装置２ａとの距離に応じて、スピーカ装置２ａに送信する音データに基づく音の音量と、ヘッドホン部１４から出力させる音データに基づく音の音量との比率を変更する。出力制御部１７ａは、ヘッドホン装置１ａとスピーカ装置２ａとの距離が近い程、スピーカ装置２ａに送信する音データの音量を大きく、且つ、ヘッドホン部１４から出力させる音データの音量を小さくするように制御する。
これにより、本実施形態による音響システム１００ａは、例えば、ヘッドホン部１４とスピーカ２３との出力を切替える際に、不自然に音の出力が途切れることがなく切り替えることができるため、さらに利便性を向上させることができる。
【００８９】
具体的に、本実施形態では、利用者がヘッドホン装置１ａから出力される音を聞きながらスピーカ装置２ａに近づくと、徐々にスピーカ装置２ａからも音が聞こえ始めて、ヘッドホン装置１ａをスピーカ装置２ａに装着（セット）すると、ヘッドホン装置１ａからの音の出力が停止する。このように、本実施形態による音響システム１００ａは、利用者がヘッドホン部１４からスピーカ２３に出力を切替える際に、不自然に音の出力が途切れることがなく切り替えることができる。
【００９０】
なお、本発明は、上記の各実施形態に限定されるものではなく、本発明の趣旨を逸脱しない範囲で変更可能である。
例えば、上記の各実施形態において、ヘッドホン装置１（１ａ）が、接続判定部１６（１６ａ）を備える例を説明したが、スピーカ装置２（２ａ）、又はヘッドホン装置１（１ａ）とスピーカ装置２（２ａ）との両方が、接続判定部１６（１６ａ）を備えるようにしてもよい。
【００９１】
また、上記の各実施形態において、ヘッドホン装置１（１ａ）が、信号処理部１２を備える例を説明したが、スピーカ装置２（２ａ）、又はヘッドホン装置１（１ａ）とスピーカ装置２（２ａ）との両方が、接続判定部１６（１６ａ）を備えるようにしてもよい。
また、上記の各実施形態において、音出力装置が、ギター３に接続された送信装置４とスマートフォン５とである例を説明したが、これに限定されるものではない。音出力装置が、例えば、ギター３以外の他の楽器に接続された送信装置４あってもよいし、無線通信可能な他の電子楽器やＰＤＡ（Personal Digital Assistant）、パーソナルコンピュータなどであってもよい。
【００９２】
また、上記の各実施形態において、ヘッドホン装置１（１ａ）が、複数の音出力装置の一例として、送信装置４とスマートフォン５との２つの音出力装置から音データを受信する例を説明したが、３つ以上の音出力装置から音データを受信するようにしてもよい。
また、上記の各実施形態において、無線通信部１１は、Bluetooth（登録商標）による無線通信を使用する例を説明したが、ワイヤレスＬＡＮ（Local Area Network）などの他の無線通信であってもよい。
【００９３】
また、上記の各実施形態において、スピーカ装置２（２ａ）からヘッドホン装置１（１ａ）への充電電力の供給を、充電端子（充電電極）による接触式で行う例を説明したが、非接触給電（ワイヤレス給電方式）で行うようにしてもよい。
また、上記の第２の実施形態において、出力制御部３２ａは、信号処理部１２に音量の変更された音データを生成させて、音量を変更する例を説明したが、これに限定されるものではない。出力制御部３２ａは、例えば、ＨＰアンプ１３又はスピーカ装置２ａのＳＰアンプ２２の増幅率を制御して音量を変更してもよい。
【００９４】
また、上記の第２の実施形態において、通信部１５ａ及び通信部２１ａは、赤外線による非接触通信を使用する例を説明したが、ワイヤレスＬＡＮ（Local Area Network）などの他の非接触通信であってもよい。また、ヘッドホン装置１ａとスピーカ装置２ａとの間の距離の測定も、赤外線を用いる手法に限定されるものではなく、他の方式を用いるようにしてもよい。
【００９５】
なお、上述の音響システム１００（１００ａ）が備える各構成は、内部にコンピュータシステムを有している。そして、上述した音響システム１００（１００ａ）が備える各構成における処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【００９６】
１，１ａ…ヘッドホン装置、２，２ａ…スピーカ装置、３…ギター、４…送信装置、５…スマートフォン、１１…無線通信部、１２…信号処理部、１３…ＨＰアンプ、１４…ヘッドホン部、１５，１５ａ，２１，２１ａ…通信部、１６，１６ａ…接続判定部、１７，１７ａ，３２，３２ａ…出力制御部、１８…２次電池、２２…ＳＰアンプ、２３，２３Ｌ、２３Ｒ…スピーカ、２４…ドック部、３０，３０ａ…ＳＰ制御部、３１…充電制御部、１００，１００ａ…音響システム、Ｔ１，Ｔ２…充電端子
【図１】
2018160714.tif 000003
【図２】
2018160714.tif 000004
【図３】
2018160714.tif 000005
【図４】
2018160714.tif 000006
【図５】
2018160714.tif 000007
【図６】
2018160714.tif 000008
【図７】
2018160714.tif 000009
【図８】
2018160714.tif 000010
【図９】
2018160714.tif 000011